(57)【要約】【課題】１周波数当たりに収容できるＣＤＭＡ子局数を増大することができる家庭用電気機器コントロールシステムを提供すること。【解決手段】本発明の家庭用電気機器コントロールシステムは、ＣＤＭＡ親局１０１と、ＣＤＭＡ親局１０１を介して相互に通信する複数のＣＤＭＡ子局１０２−１〜１０２−ｎと、を具備している。ＣＤＭＡ子局１０２−１〜１０２−ｎの各々において、操作部１０２−１９からの指示を他のＣＤＭＡ子局へ通知することにより前記他のＣＤＭＡ子局を制御する。ＣＤＭＡ子局１０２−１〜１０２−ｎの各々は、家庭用電気機器を制御する制御手段を有している。【選択図】　　　図１
2004064488.tif 000002
【特許請求の範囲】
【請求項１】
ＣＤＭＡ親局と、前記ＣＤＭＡ親局を介して相互に通信する複数のＣＤＭＡ子局と、を具備し、前記ＣＤＭＡ子局は家庭用電気機器を制御する制御手段を有することを特徴とする家庭用電気機器コントロールシステム。
【請求項２】
前記ＣＤＭＡ親局は、公衆電話網に接続する有線インタフェース手段を有することを特徴とする請求項１記載の家庭用電気機器コントロールシステム。
【請求項３】
前記ＣＤＭＡ親局は、公衆携帯電話網に接続する公衆無線インタフェース手段を有することを特徴とする請求項１記載の家庭用電気機器コントロールシステム。
【請求項４】
前記ＣＤＭＡ親局は、家庭用電気機器を制御するための自動制御部を具備する請求項１から請求項３のいずれかに記載の家庭用電気機器コントロールシステム。
【請求項５】
前記ＣＤＭＡ子局は、前記自動制御部に接続され前記家庭用電気機器を制御する家庭用電気機器制御部を具備することを特徴とする請求項４記載の家庭用電気機器コントロールシステム。
【請求項６】
前記ＣＤＭＡ子局は、前記自動制御部に接続され前記家庭用電気機器を制御するための赤外線を送出する赤外線送出部を具備することを特徴とする請求項４記載の家庭用電気機器コントロールシステム。
【請求項７】
前記ＣＤＭＡ親局は子局管理部を有し、前記ＣＤＭＡ子局は前記自動制御部に接続されている家庭用電気機器管理テーブルを有し、前記子局管理部は、前記ＣＤＭＡ子局を制御するための子局制御信号を送出し、前記家庭用電気機器管理テーブルは、前記子局管理部からの前記子局制御信号を保持し前記子局制御信号に基づいて制御信号を前記自動制御部に与えることを特徴とする請求項４記載の家庭用電気機器コントロールシステム。
【請求項８】
前記ＣＤＭＡ親局は、前記ＣＤＭＡ子局からのデータを蓄積するデータ蓄積部を具備することを特徴とする請求項１から請求項７のいずれかに記載の家庭用電気機器コントロールシステム。
【請求項９】
複数のＣＤＭＡ親局と、前記ＣＤＭＡ親局のいずれかを介して相互に通信する複数のＣＤＭＡ子局と、前記複数のＣＤＭＡ親局を制御する親局制御部と、を具備し、前記ＣＤＭＡ子局は家庭用電気機器を制御する制御手段を有することを特徴とする家庭用電気機器コントロールシステム。
【発明の詳細な説明】
【０００１】
【発明の属する技術分野】
本発明は、宅内の家庭用電気機器を自動制御するための家庭用電気機器コントロールシステムに関する。
【０００２】
【従来の技術】
従来、家庭用電気機器コントロールシステムシステムとして、特開２０００−３２１５３号公報に記載されたものがある。この家庭用電気機器コントロールシステムシステムは、宅内に設置されている家庭用電気機器を無線でリモート制御するシステムにおいて、既設の家庭用電気機器のリモコン受光部に着脱可能なコントロールアダプタと、前記コントロールアダプタに対しＰＨＳ方式で通信を行って制御をする操作卓（ＰＨＳ端末装置）を備えている。
【０００３】
【発明が解決しようとする課題】
しかしながら、従来の家庭用電気機器コントロールシステムシステムにおいては、ＰＨＳ端末装置がＴＤＭＡ方式を用いているため、１周波数当たりの収容ＣＤＭＡ子局が数局程度であるから、ＰＨＳ方式では数スロットの時分割多重通信となるため一度に通話可能なＣＤＭＡ子局数が制限されてしまうという問題がある。
【０００４】
本発明は、かかる点に鑑みてなされたものであり、１周波数当たりに収容できるＣＤＭＡ子局数を増大することができる家庭用電気機器コントロールシステムを提供することを目的とする。
【０００５】
【課題を解決するための手段】
本発明の家庭用電気機器コントロールシステムは、ＣＤＭＡ親局と、前記ＣＤＭＡ親局を介して相互に通信する複数のＣＤＭＡ子局と、を具備し、前記ＣＤＭＡ子局は家庭用電気機器を制御する制御手段を有する構成を採る。
【０００６】
この構成によれば、チャネルごとの拡散符号を変化させることにより同一周波数で多くのリソースを確保できるから、１周波数当たりに収容できるＣＤＭＡ子局数を増大することができる。
【０００７】
本発明の家庭用電気機器コントロールシステムは、前記構成において、前記ＣＤＭＡ親局が、公衆電話網に接続する有線インタフェース手段を有する構成を採る。
【０００８】
この構成によれば、前記効果に加えて、ＣＤＭＡ子局が、宅内の家庭用電気機器のコントロールだけでなく、有線電話機の子機としての外線発着信が可能となる。
【０００９】
本発明の家庭用電気機器コントロールシステムは、前記構成において、前記ＣＤＭＡ親局が、公衆携帯電話網に接続する公衆無線インタフェース手段を有する構成を採る。
【００１０】
この構成によれば、前記効果に加えて、ＣＤＭＡ子局が、宅内の家庭用電気機器のコントロールだけでなく、携帯電話端末装置としての発着信が可能となる。
【００１１】
本発明の家庭用電気機器コントロールシステムは、前記構成において、前記ＣＤＭＡ親局が、家庭用電気機器を制御するための自動制御部を具備する構成を採る。
【００１２】
この構成によれば、前記効果に加えて、ＣＤＭＡ親局も宅内の家庭用電気機器のコントロールをすることができる。
【００１３】
本発明の家庭用電気機器コントロールシステムは、前記構成において、前記ＣＤＭＡ子局が、前記自動制御部に接続され前記家庭用電気機器を制御する家庭用電気機器制御部を具備する構成を採る。
【００１４】
この構成によれば、前記効果に加えて、家庭用電気機器制御部を制御することができる。
【００１５】
本発明の家庭用電気機器コントロールシステムは、前記構成において、前記ＣＤＭＡ子局が、前記自動制御部に接続され前記家庭用電気機器を制御するための赤外線を送出する赤外線送出部を具備する構成を採る。
【００１６】
この構成によれば、前記効果に加えて、赤外線送出部からの制御指示信号である赤外線を用いて家庭用電気機器制御部を制御することができる。
【００１７】
本発明の家庭用電気機器コントロールシステムは、前記構成において、前記ＣＤＭＡ親局が子局管理部を有し、前記ＣＤＭＡ子局が前記自動制御部に接続されている家庭用電気機器管理テーブルを有し、前記子局管理部が、前記ＣＤＭＡ子局を制御するための子局制御信号を送出し、前記家庭用電気機器管理テーブルが、前記子局管理部からの前記子局制御信号を保持し前記子局制御信号に基づいて制御信号を前記自動制御部に与える構成を採る。
【００１８】
この構成によれば、前記効果に加えて、ＣＤＭＡ子局の削除及び新規のＣＤＭＡ子局の追加が容易となる。
【００１９】
本発明の家庭用電気機器コントロールシステムは、前記構成において、前記ＣＤＭＡ親局が、前記ＣＤＭＡ子局からのデータを蓄積するデータ蓄積部を具備する構成を採る。
【００２０】
この構成によれば、前記効果に加えて、データ蓄積部がデータを蓄積するから、前記データ蓄積部のデータの再利用がオフラインでも可能となる。
【００２１】
本発明の家庭用電気機器コントロールシステムは、複数のＣＤＭＡ親局と、前記ＣＤＭＡ親局のいずれかを介して相互に通信する複数のＣＤＭＡ子局と、前記複数のＣＤＭＡ親局を制御する親局制御部と、を具備し、前記ＣＤＭＡ子局が家庭用電気機器を制御する制御手段を有する構成を採る。
【００２２】
この構成によれば、前記効果に加えて、集合住宅のような多くの自動制御すべきＣＤＭＡ子局が存在する場合にも、家庭用電気機器を安定してコントロールすることができ、システムに収容されているＣＤＭＡ子局が移動してもこの移動に伴って在圏する親局の更新をし、通信する親局の更新を繰り返しハンドオーバすることができる。
【００２３】
【発明の実施の形態】
本発明の骨子は、ＣＤＭＡ親局と、前記ＣＤＭＡ親局を介して相互に通信する複数のＣＤＭＡ子局と、を具備し、前記ＣＤＭＡ子局が家庭用電気機器を制御する制御手段を有することである。
【００２４】
以下、本発明の実施の形態について、図面を用いて具体的に説明する。
【００２５】
（実施の形態１）
図１は、本発明の実施の形態１に係る家庭用電気機器コントロールシステムの構成を示すブロック図である。
【００２６】
図１に示すように、本発明の実施の形態１に係る家庭用電気機器コントロールシステムは、ＣＤＭＡ親局１０１と、このＣＤＭＡ親局１０１と通信する複数のＣＤＭＡ子局１０２−１〜１０２−ｎとを具備している。
【００２７】
ＣＤＭＡ親局１０１は、ベースバンド処理部１０１−１、送受信制御部１０１−２、無線インタフェース部１０１−３及び操作部１０１−４を具備している。送受信制御部１０１−２は、ベースバンド処理部１０１−１、無線インタフェース部１０２−３及び操作部１０２−４に接続されている。無線インタフェース部１０２−３は、ベースバンド処理部１０１−１に接続されている。
【００２８】
送受信制御部１０１−２は、ＣＤＭＡ子局１０２−１〜１０２−ｎの在圏登録を受け付ける機能を有している。また、送受信制御部１０１−２は、ＣＤＭＡ親局１０１とＣＤＭＡ子局１０２−１〜１０２−ｎとのエア上の伝送を確保するために、周波数設定等の無線インタフェース部１０１−３の制御機能、また、ベースバンド処理部１０１−１への制御機能を有している。べースバンド処理部１０１−１は、ＣＤＭＡ特有のチャネルごとのコード処理機能（拡散、多重及びレイク受信機能等）を有している。無線インタフェース部１０１−３は、ベースバンド処理部１０１−１で処理された送信信号を変調し、周波数変換しエアへ送出する機能と、ＣＤＭＡ子局１０２−１〜１０２−ｎからの受信信号を周波数変換しベースバンド帯域へ落とす機能を有している。操作部１０１−４は、操作信号を送受信制御部１０１−２に入力するためのものである。
【００２９】
ＣＤＭＡ子局１０２−１〜１０２−ｎの各々は、無線インタフェース部１０２−１１、ベースバンド処理部１０２−１２、送受信制御部１０２−１３、自動制御部１０２−１４、カメラ部１０２−１５、モニタ部１０２−１６、スピーカ部１０２−１７、マイク部１０２−１８及び操作部１０２−１９を具備している。
【００３０】
ベースバンド処理部１０２−１２は、無線インタフェース部１０２−１１に接続されている。送受信制御部１０２−１３は、ベースバンド処理部１０２−１２に接続されている。自動制御部１０２−１４は、送受信制御部１０２−１３に接続されている。カメラ部１０２−１５、モニタ部１０２−１６、スピーカ部１０２−１７、マイク部１０２−１８及び操作部１０２−１９は、ベースバンド処理部１０２−１２及び自動制御部１０２−１４に接続されている。
【００３１】
送受信制御部１０２−１３の各々は、ＣＤＭＡ子局１０２−１〜１０２−ｎの各々の在圏登録を要求する機能を有している。また、送受信制御部１０２−１３の各々は、ＣＤＭＡ親局１０１とＣＤＭＡ子局１０２−１〜１０２−ｎとのエア上の伝送を確保するために周波数設定等の無線インタフェース部１０２−１１の制御機能、また、ベースバンド処理部１０２−１２への制御機能を有している。べースバンド処理部１０２−１２は、ＣＤＭＡ特有のチャネルごとのコード処理機能（拡散、多重及びレイク受信機能等）を有している。また、べースバンド処理部１０２−１２は、カメラ部１０２−１５、モニタ部１０２−１６、スピーカ部１０２−１７及びマイク部１０２−１８とのデータ信号についても送受信を行い、基地局との通信のための信号処理を行う。
【００３２】
無線インタフェース部１０２−１１は、ベースバンド処理部１０２−１２で処理された送信信号を変調し周波数変換しエアへ送出する機能と、基地局からの受信信号を周波数変換しベースバンド帯域へ落とす機能を有している。自動制御部１０２−１４は、送受信制御部１０２−１３からＣＤＭＡ子局１０２−１〜１０２−ｎへの操作指示を受け取って、この操作指示に基づいてカメラ部１０２−１５、モニタ部１０２−１６、スピーカ部１０２−１７、マイク部１０２−１８及び操作部１０２−１９部の制御を行う。
【００３３】
次に、本発明の実施の形態１に係る家庭用電気機器コントロールシステムの動作について詳細に説明する。
【００３４】
まず、ＣＤＭＡ親局１０１は、装置立ち上げ時に、送受信制御部１０１−２の指示により、ＣＤＭＡ子局１０２−１〜１０２−ｎが在圏することが可能となるような共通チャネルを送出する。ベースバンド処理部１０１−１へのチャネル設定と、無線インタフェース部１０１−３への無線設定を行う。ＣＤＭＡ子局１０２−１〜１０２−ｎは、共通チャネルを受信して認識することにより、ＣＤＭＡ親局１０１に対して在圏登録を行ってＣＤＭＡ親局１０１との情報の送受により登録を完了する。在圏情報は、制御部１０２−１３に保持される。また、在圏登録されているＣＤＭＡ子局１０２−１〜１０２−ｎの各々は、相互に内線通信を行うことが可能である。
【００３５】
次に、ＣＤＭＡ子局１０２−２とＣＤＭＡ子局１０２−ｋとが、内線通信を行う動作について説明する。ＣＤＭＡ子局１０２−２から発信のための信号が送出され、無線インタフェース部１０１−３、ベースバンド処理部１０１−１を経て、送受信制御部１０１−２に通知され、まずエア回線が確保されるように制御される。この場合に、通信相手が在圏登録済のＣＤＭＡ子局１０２−ｋであることを送受信制御部１０１−２が認識すると、ＣＤＭＡ子局１０２−ｋを呼び出す処理を起動し、ベースバンド処理部１０１−１に対してチャネル設定を行う。ベースバンド処理部１０１−１は、符号化を行い無線インタフェース部１０１−３を介してＣＤＭＡ子局１０２−ｋと信号の送受を行い回線設定まで行う。エア上の回線が確保できたところで、ＣＤＭＡ子局１０２−２とＣＤＭＡ子局１０２−ｋの回線がベースバンド処理部１０１−１内で接続され、通信が可能となる。
【００３６】
このような内線通信機能を利用し、以下のような宅内の家庭用電気機器の自動制御を行う。
【００３７】
まず、ＣＤＭＡ子局１０２−１を操作卓として使用する。ＣＤＭＡ子局１０２−１は、玄関に備え付けられたカメラつきドアフォンとする。ＣＤＭＡ子局１０２−２の操作部１０２−１９を操作して、データを収集したいＣＤＭＡ子局１０２−１を特定する指定信号及び操作信号（外部監視信号）を入力する。これにより、ＣＤＭＡ子局１０２−２の送受信制御部１０２−１３は、相手先のＣＤＭＡ子局１０２−１を特定し、その操作指示（例えば、カメラ部１０２−１５オン、マイク部１０２−１８オン）を制御信号として自動制御部１０２−１４を介して送受信制御部１０２−１３へ指示を行う。送受信制御部１０２−１３は、ベースバンド処理部１０２−１２、無線インタフェース部１０２−１１及びＣＤＭＡ親局１０１を介して内線通信を利用しＣＤＭＡ子局１０２−１へ発信を行う。
【００３８】
ＣＤＭＡ親局１０１は、ＣＤＭＡ子局１０２−２からＣＤＭＡ子局１０２−１への発信処理を行う。ＣＤＭＡ子局１０２−１は、ＣＤＭＡ子局１０２−２からの着信を受信し、送受信制御部１０２−１３が制御信号を抽出する。ＣＤＭＡ子局１０２−１の送受信制御部１０２−１３は、抽出した制御信号に基づいてカメラ部１０２−１５、モニタ部１０２−１６、スピーカ部１０２−１７又はマイク部１０２−１８を操作する。次に、ＣＤＭＡ子局１０２−１のベースバンド処理部１０２−１２は、カメラ部１０２−１５、モニタ部１０２−１６、スピーカ部１０２−１７又はマイク部１０２−１８からのデータを信号処理してＣＤＭＡ子局１０２−２へ送信する。
【００３９】
ＣＤＭＡ子局１０２−２においては、ＣＤＭＡ子局１０２−１からの信号を受信して受信信号を生成し、ＣＤＭＡ子局１０２−２の送受信制御部１０２−１３は受信信号からＣＤＭＡ子局１０２−１のカメラ部１０２−１５、モニタ部１０２−１６、スピーカ部１０２−１７又はマイク部１０２−１８からのデータを抽出して、抽出した信号に基づいてＣＤＭＡ子局１０２−２のカメラ部１０２−１５、モニタ部１０２−１６、スピーカ部１０２−１７又はマイク部１０２−１８を制御する。例えば、ＣＤＭＡ子局１０２−２の送受信制御部１０２−１３は、スピーカ部１０２−１７及びモニタ部１０２−１６へ出力することにより、ＣＤＭＡ子局１０２−１からの映像と音声を復元できる。また、通信中に、ＣＤＭＡ子局１０２−２は、さらにＣＤＭＡ子局１０２−２の操作部１０２−１９からの指示をＣＤＭＡ子局１０２−１へ通知することにより継続して制御をすることも可能である。例えば、ＣＤＭＡ子局１０２−２は、ＣＤＭＡ子局１０２−１のカメラ部１０２−１５の動作を制御し視野角及びズーミング等の遠隔制御が可能である。
【００４０】
本発明の実施の形態１においては、チャネルごとの拡散符号を変化させることにより同一周波数で多くのリソースを確保できるから、１周波数当たりに収容できるＣＤＭＡ子局数を増大することができる。例えば、本発明の実施の形態１においては、拡散率が６４のエア上の伝送レートを用いる場合に、コードリソースは６４種まで使用可能である。
【００４１】
（実施の形態２）
次に、本発明の実施の形態２について、図面を参照して詳細に説明する。図２は、本発明の実施の形態２に係る家庭用電気機器コントロールシステムの構成を示すブロック図である。本発明の実施の形態２においては、本発明の実施の形態１と同じ構成要素には同じ参照符号が付されている。
【００４２】
本発明の実施の形態２に係る家庭用電気機器コントロールシステムは、本発明の実施の形態１において、ＣＤＭＡ親局１０１が有線インタフェース部２０１を有するものである。
【００４３】
有線インタフェース部２０１は、ベースバンド処理部１０１−１と公衆電話網２０２との間に接続されている。また、有線インタフェース部２０１は、送受信制御部１０１−２に接続されている。有線インタフェース部２０１は、公衆電話網２０２への電気的インタフェース機能を持ち、かつ、ディジタル信号としてベースバンド処理部１０１−１とインタフェースをとる。また、送受信制御部１０１−２は、公衆電話網２０２からの着信又は公衆電話網２０２への発信の際の有線インタフェース部２０１の制御機能を有している。べースバンド処理部１０１−１は、有線インタフェース部２０１とのユーザ信号の符復号機能（誤り制御）を有している。
【００４４】
次に、本発明の実施の形態２に係る家庭用電気機器コントロールシステムの動作について説明する。
【００４５】
公衆電話網２０２から在圏しているＣＤＭＡ子局１０２−１に着信があった場合の動作を説明する。公衆電話網２０２からの呼び出しを有線インタフェース部２０１が検出して送受信制御部１０１−２へ通知する。送受信制御部１０１−２は、公衆電話網２０２との呼制御を行って、ＣＤＭＡ子局１０２−１を呼び出すための処理のためベースバンド部１０１−１に対してチャネル設定を行う。ベースバンド処理部１０１−１は、符号化および復号化を行って無線インタフェース部１０１−３を介してＣＤＭＡ子局１０２−１と信号の送受を行って回線設定まで行う。エア上の回線が確保できたところで、ベースバンド処理部１０１−１は公衆電話網２０１と接続させ公衆電話網２０１とＣＤＭＡ子局１０２−２とが通信が可能となる。
【００４６】
また、ＣＤＭＡ子局１０２−２からの発信に関しての動作を説明する。ＣＤＭＡ子局１０２−２が発信する場合は、ＣＤＭＡ子局１０２−２から発信のための信号が送出され、無線インタフェース部１０１−３、ベースバンド処理部１０１−１を経て送受信制御部１０１−２に通知され、まずエア回線が確保されるように制御される。次に、送受信制御部１０１−２は、有線インタフェース部２０１を介して公衆電話網２０２に対して発信を行う。公衆電話網２０２との有線の回線が確保されると、無線区間と接続されＣＤＭＡ子局１０２−２と公衆電話網２０１とが通信可能となる。同様に、ＣＤＭＡ子局１０２−１、１０２−３〜１０２−ｎと公衆電話網２０１との間での発着信が可能となる。
【００４７】
本発明の実施の形態２においては、本発明の実施の形態１の効果に加えて、ＣＤＭＡ子局１０２−１〜１０２−ｎは、宅内の家庭用電気機器のコントロールだけでなく、有線電話機の子機としての外線発着信が可能となる。
【００４８】
（実施の形態３）
次に、本発明の実施の形態３について、図面を参照して詳細に説明する。図３は、本発明の実施の形態３に係る家庭用電気機器コントロールシステムの構成を示すブロック図である。本発明の実施の形態３においては、本発明の実施の形態２と同じ構成要素には同じ参照符号が付されている。
【００４９】
図３に示すように、本発明の実施の形態３に係る家庭用電気機器コントロールシステムは、本発明の実施の形態２において、有線インタフェース部２０１の代わりに公衆無線インタフェース部３０１を有するものである。
【００５０】
公衆無線インタフェース部３０１は、ベースバンド処理部１０１−１に接続されている。また、公衆無線インタフェース部３０１は、送受信制御部１０１−２に接続されている。公衆無線インタフェース部３０１は、公衆携帯電話網３０２との間で無線で通信を行う。
【００５１】
本発明の実施の形態３においては、本発明の実施の形態１の効果に加えて、ＣＤＭＡ子局１０２−１〜１０２−ｎは、宅内の家庭用電気機器のコントロールだけでなく、携帯電話端末装置としての発着信が可能となる。
【００５２】
（実施の形態４）
次に、本発明の実施の形態４について、図面を参照して詳細に説明する。図４は、本発明の実施の形態４に係る家庭用電気機器コントロールシステムの構成を示すブロック図である。本発明の実施の形態４においては、本発明の実施の形態２と同じ構成要素には同じ参照符号が付されている。
【００５３】
図４に示すように、本発明の実施の形態４に係る家庭用電気機器コントロールシステムは、本発明の実施の形態２において、ＣＤＭＡ親局１０１がさらに自動制御部４０１を有している。自動制御部４０１は、送受信制御部１０１−２に接続されている。自動制御部４０１は、送受信制御部１０１−２からの指示を受けて、これに接続される家庭用電気機器（図示せず）を自動的に制御する。
【００５４】
なお、本発明の実施の形態４は、本発明の実施の形態１、３に適用することができる。
【００５５】
本発明の実施の形態４においては、本発明の実施の形態１〜３のいずれかの効果に加えて、ＣＤＭＡ親局１０１も宅内の家庭用電気機器のコントロールをすることができる。
【００５６】
（実施の形態５）
次に、本発明の実施の形態５について、図面を参照して詳細に説明する。図５は、本発明の実施の形態５に係る家庭用電気機器コントロールシステムのＣＤＭＡ子局の構成を示すブロック図である。本発明の実施の形態５においては、本発明の実施の形態１と同じ構成要素には同じ参照符号が付されている。
【００５７】
図５に示すように、本発明の実施の形態５に係る家庭用電気機器コントロールシステムは、本発明の実施の形態１において、カメラ部１０２−１５、モニタ部１０２−１６、スピーカ部１０２−１７及びマイク部１０２−１８の代わりに、家庭用電気機器制御部５０１を有している。この家庭用電気機器制御部５０１は、自動制御部１０２−１４及び家庭用電気機器（図示せず）に接続されている。
【００５８】
ＣＤＭＡ子局１０２−１は、親局１０１に在圏している宅内の他のＣＤＭＡ子局１０２−２〜１０２−ｎから操作の指示をうける。この操作の指示は、ＣＤＭＡ子局１０２−１の送受信制御部１０２−１３で取り出され、自動制部１０２−１４へ伝達される。自動制御部１０２−１４は、送受信制御部１０２−１３からの指示に基づいて家庭用電気機器制御部５０１を制御する。また、ＣＤＭＡ子局１０２−２〜１０２−ｎも、図５のＣＤＭＡ子局１０２−１と同じように構成することができる。
【００５９】
なお、本発明の実施の形態５は、本発明の実施の形態２乃至４に適用することができる。
【００６０】
本発明の実施の形態５においては、本発明の実施の形態１〜４のいずれかの効果に加えて、家庭用電気機器制御部５０１を制御することができる。
【００６１】
（実施の形態６）
次に、本発明の実施の形態６について、図面を参照して詳細に説明する。図６は、本発明の実施の形態６に係る家庭用電気機器コントロールシステムの要部の構成を示すブロック図である。本発明の実施の形態６においては、本発明の実施の形態１と同じ構成要素には同じ参照符号が付されている。
【００６２】
図６に示すように、本発明の実施の形態６に係る家庭用電気機器コントロールシステムは、本発明の実施の形態５において、ＣＤＭＡ子局１０２−１がさらに赤外線送出部６０１を有している。この赤外線送出部６０１は、自動制御部１０２−１４に接続されている。
【００６３】
図６において家庭用電気機器制御部６０２は、赤外線リモートコマンダからの制御指示信号である赤外線を受けて、家庭用電気機器（図示せず）を制御するものである。
【００６４】
ＣＤＭＡ子局１０２−１は、親局１０１に在圏している宅内の宅内の他のＣＤＭＡ子局１０２−２〜１０２−ｎのから操作の指示をうける。この操作の指示は、ＣＤＭＡ子局１０２−１の送受信制御部１０２−１３で取り出され、自動制部１０２−１４へ伝達される。自動制御部１０２−１４は、送受信制御部１０２−１３からの指示を、家庭用電気機器制御部６０２を制御するための赤外線リモートコマンダのコマンドへ変換する。赤外線送出部６０１は、自動制御部１０２−１４からのコマンドを受けて、このコマンドに基づいて家庭用電気機器制御部６０２に対して、ＬＥＤ等により赤外線を送出する。家庭用電気機器制御部６０２は、赤外線送出部６０１からの制御指示信号である赤外線を受けて、家庭用電気機器を制御する。
【００６５】
なお、ＣＤＭＡ子局１０２−２〜１０２−ｎも、図５のＣＤＭＡ子局１０２−１と同じように構成することができる。
【００６６】
また、図６に示すＣＤＭＡ子局１０２−１は、遠隔制御としてＣＤＭＡ親局１０１を介せずに直接に赤外線リモートコントロールのコマンダとして使用することも可能である。
【００６７】
なお、本発明の実施の形態６は、本発明の実施の形態２乃至４に適用することができる。
【００６８】
本発明の実施の形態６においては、本発明の実施の形態１〜４のいずれかの効果に加えて、赤外線送出部６０１からの制御指示信号である赤外線を用いて家庭用電気機器制御部６０２を制御することができる。
【００６９】
（実施の形態７）
次に、本発明の実施の形態７について、図面を参照して詳細に説明する。図７は、本発明の実施の形態７に係る家庭用電気機器コントロールシステムの構成を示すブロック図である。本発明の実施の形態７においては、本発明の実施の形態５と同じ構成要素には同じ参照符号が付されている。
【００７０】
図７に示すように、本発明の実施の形態７に係る家庭用電気機器コントロールシステムは、本発明の実施の形態５において、ＣＤＭＡ親局１０１がさらに子局管理部７０１を有し、かつ、ＣＤＭＡ子局１０２−１がさらに家庭用電気機器管理テーブル７０２を有している。
【００７１】
送受信制御部１０１−２は、操作部１０１−４により入力される操作信号のうち子局制御信号を取り出して子局管理部７０１に与える。子局管理部７０１は、送受信制御部１０１−２からの子局制御信号を保持しこの子局制御信号に基づいて、ＣＤＭＡ子局１０２−１の家庭用電気機器管理テーブル７０２を管理する。子局管理部７０１は、送受信制御部１０１−２からの新しい子局制御信号に入力された時に、保持する子局制御信号を新しい子局制御信号に更新する。そして、子局管理部７０１は、新しい子局制御信号をＣＤＭＡ子局１０２−１の家庭用電気機器管理テーブル７０２に与える。すなわち、子局管理部７０１は、ＣＤＭＡ子局１０２−２〜１０２−ｎの種別を管理し、遠隔制御するための制御コマンドの種別をＣＤＭＡ子局１０２−２〜１０２−ｎごとに管理を行い、また、ＣＤＭＡ子局１０２−２〜１０２−ｎの削除を管理しＣＤＭＡ子局の新規の登録を管理する。
【００７２】
家庭用電気機器管理テーブル７０２は、子局管理部７０１からの子局制御信号を保持して、この子局制御信号に基づいた制御信号を自動制御部１０２−１４に与える。家庭用電気機器管理テーブル７０２は、子局管理部７０１からの新しい子局制御信号を受けた時に、保持する子局制御信号を新しい子局制御信号に更新する。自動制御部１０２−１４は、送受信制御部１０２−１３からの制御信号に基づいて家庭用電気機器管理テーブル７０２を制御する。なお、また、ＣＤＭＡ子局１０２−２〜１０２−ｎも、図７のＣＤＭＡ子局１０２−１と同じように構成することができる。
【００７３】
なお、本発明の実施の形態７は、本発明の実施の形態１〜４、６に適用することができる。
【００７４】
本発明の実施の形態７においては、本発明の実施の形態１〜６の効果に加えて、ＣＤＭＡ子局１０２−２〜１０２−ｎの削除及び新規のＣＤＭＡ子局の追加が容易となる。
【００７５】
（実施の形態８）
次に、本発明の実施の形態８について、図面を参照して詳細に説明する。図８は、本発明の実施の形態８に係る家庭用電気機器コントロールシステムの構成を示すブロック図である。本発明の実施の形態８においては、本発明の実施の形態１と同じ構成要素には同じ参照符号が付されている。
【００７６】
図８に示すように、本発明の実施の形態８に係る家庭用電気機器コントロールシステムは、本発明の実施の形態１において、ＣＤＭＡ親局１０１がさらにデータ蓄積部８０１を有している。データ蓄積部８０１は、送受信制御部に接続されている。
【００７７】
ＣＤＭＡ子局１０２−１は、データ（例えば映像信号）をＣＤＭＡ親局１０１に送信する。ＣＤＭＡ親局１０１は、ＣＤＭＡ子局１０２−１からのデータを受ける。この場合に、ＣＤＭＡ親局１０１においては、送受信制御部１０１−２は、無線インタフェース部１０１−３を介してベースバンド処理部１０１−１で受信された信号が蓄積するデータであると判断した場合には、ベースバンド処理部１０１−１で復号されたデータをデータ蓄積部８０１へ転送する。データ蓄積部８０１は、送受信制御部１０１−２から転送されてくるデータを蓄積する。
【００７８】
また、データ蓄積部８０１に蓄積されたデータは、オフラインでＣＤＭＡ子局１０２−１〜１０２−ｎより読み出しが可能である。ＣＤＭＡ子局１０２−１〜１０２−ｎからの転送要求に対して、送受信制御部１０１−２の制御によりデータ蓄積部８０１に蓄積されたデータは、ベースバンド処理部１０１−１に入力され無線インタフェース部１０１−３によりＣＤＭＡ子局ＣＤＭＡ子局１０２−１〜１０２−ｎに送信される。
【００７９】
なお、本発明の実施の形態８は、本発明の実施の形態２〜６に適用することができる。また、本発明の実施の形態８において、ＣＤＭＡ子局１０２−１〜１０２−ｎがデータ蓄積部を有するように構成することができる。
【００８０】
本発明の実施の形態８においては、本発明の実施の形態１〜７の効果に加えて、データ蓄積部８０１がデータを蓄積するから、データ蓄積部８０１のデータの再利用がオフラインでも可能となる。
【００８１】
（実施の形態９）
次に、本発明の実施の形態９について、図面を参照して詳細に説明する。図９は、本発明の実施の形態９に係る家庭用電気機器コントロールシステムの構成を示すブロック図である。本発明の実施の形態９においては、本発明の実施の形態１と同じ構成要素には同じ参照符号が付されている。
【００８２】
図９に示すように、本発明の実施の形態９に係る家庭用電気機器コントロールシステムは、複数のＣＤＭＡ親局１０１１〜１０１ｍ、複数のＣＤＭＡ子局１０２−１〜１０２−ｎ及び親局制御装置９０１を具備している。複数のＣＤＭＡ親局１０１１〜１０１ｍは図１のＣＤＭＡ親局１０１と同じであり、複数のＣＤＭＡ子局１０２−１〜１０２−ｎは図１のものと同じである。
【００８３】
親局制御装置９０１は、複数のＣＤＭＡ親局１０１１〜１０１ｍを制御するものである。親局制御装置９０１は、親局制御部９０１−１、無線管理部９０１−２、移動管理部９０１−３及び操作部９０１−４を具備している。
【００８４】
親局制御部９０１−１は、無線管理部９０１−２、移動管理部９０１−３及び操作部９０１−４に接続されている。また、親局制御部９０１−１は、複数のＣＤＭＡ親局１０１１〜１０１ｍに接続されている。なお、親局制御部９０１−１は、複数のＣＤＭＡ親局１０１１〜１０１ｍとの間で無線で情報を通信をするように構成してもよい。
【００８５】
親局制御部９０１−１は、ＣＤＭＡ親局１０１１〜１０１ｍを制御する制御信号をＣＤＭＡ親局１０１１〜１０１ｍに与える。これにより、ＣＤＭＡ親局１０１１〜１０１ｍの各々は、これ自体で管理していた無線パラメータ（周波数、使用コード種等）を親局制御部９０１−１からの指示により設定処理する。
【００８６】
無線管理部９０１−２は、ＣＤＭＡ親局１０１１〜１０１ｍの各々からの無線パラメータの報告値を格納し、指示した設定値を格納している。移動管理部９０１−３は、ＣＤＭＡ親局１０１１〜１０１ｍの各々にＣＤＭＡ子局１０２−１〜１０２−ｎのどれが在圏しているかの情報を保存し、ＣＤＭＡ子局１０２−１〜１０２−ｎが移動しながら接続先のＣＤＭＡ親局１０１１〜１０１ｍを変更していくようなハンドオーバの制御を行う。
【００８７】
なお、本発明の実施の形態９は、本発明の実施に形態２〜８に提供することができる。
【００８８】
本発明の実施の形態９においては、本発明の実施の形態１〜７の効果に加えて、集合住宅のような多くの自動制御すべきＣＤＭＡ子局が存在する場合にも、家庭用電気機器を安定してコントロールすることができ、システムに収容されているＣＤＭＡ子局が移動してもこの移動に伴って在圏する親局の更新をし、通信する親局の更新を繰り返しハンドオーバすることができる。
【００８９】
【発明の効果】
以上説明したように、本発明によれば、チャネルごとの拡散符号を変化させることにより同一周波数で多くのリソースを確保できるから、１周波数当たりに収容できるＣＤＭＡ子局数を増大することができる。
【図面の簡単な説明】
【図１】本発明の実施の形態１に係る家庭用電気機器コントロールシステムの構成を示すブロック図
【図２】本発明の実施の形態２に係る家庭用電気機器コントロールシステムの構成を示すブロック図
【図３】本発明の実施の形態３に係る家庭用電気機器コントロールシステムの構成を示すブロック図
【図４】本発明の実施の形態４に係る家庭用電気機器コントロールシステムの構成を示すブロック図
【図５】本発明の実施の形態５に係る家庭用電気機器コントロールシステムのＣＤＭＡ子局の構成を示すブロック図
【図６】本発明の実施の形態６に係る家庭用電気機器コントロールシステムの要部の構成を示すブロック図
【図７】本発明の実施の形態７に係る家庭用電気機器コントロールシステムの構成を示すブロック図
【図８】本発明の実施の形態８に係る家庭用電気機器コントロールシステムの構成を示すブロック図
【図９】本発明の実施の形態９に係る家庭用電気機器コントロールシステムの構成を示すブロック図
【符号の説明】
１０１、１０１１〜１０１ｍ　ＣＤＭＡ親局
１０１−１　ベースバンド処理部
１０１−２　送受信制御部
１０１−３　無線インタフェース部
１０１−４　操作部
１０２−１〜１０２−ｎ　ＣＤＭＡ子局
１０２−１１　無線インタフェース部
１０２−１２　ベースバンド処理部
１０２−１３　送受信制御部
１０２−１４　自動制御部
１０２−１５　カメラ部
１０２−１６　モニタ部
１０２−１７　スピーカ部
１０２−１８　マイク部
２０１　有線インタフェース部
２０２　公衆電話網
３０１　公衆無線ンタフェース部
４０１　自動制御部
５０１、６０２　家庭用電気機器制御部
６０１　赤外線送出部
７０１　子局管理部
７０２　家庭用電気機器管理テーブル
８０１　データ蓄積部
９０１　親局制御装置
９０１−１　親局制御部
９０１−２　無線管理部
９０１−３　移動管理部
９０１−４　操作部
【図１】
2004064488.tif 000003
【図２】
2004064488.tif 000004
【図３】
2004064488.tif 000005
【図４】
2004064488.tif 000006
【図５】
2004064488.tif 000007
【図６】
2004064488.tif 000008
【図７】
2004064488.tif 000009
【図８】
2004064488.tif 000010
【図９】
2004064488.tif 000011